(57)【要約】【課題】簡単な構造により、複数の梱包箱を纏めて安定に積み重ねることが可能な梱包箱を提供すること。【解決手段】梱包箱において、左右両側面部と正面部との角部に、前記左右両側面を形成する折込片１２１、１３１と連結され、同程度の幅を有し、当該左右両側面を形成する折込片１２１、１３１から正面方向に延び、前記ベースボードを折り込んだとき、梱包箱の内側に装着され、前記正面を形成する２つ折りの正面折込片１４１、１４２を正面方向に回動して広げたとき、梱包箱の内側から外側に突き出る角折込片１６１、１６２を設け、梱包箱の角部に、梱包箱１を広げ、弛ませることが可能な構造とした。【選択図】図１
2018172143.tif 000002
【特許請求の範囲】
【請求項１】
１つのベースボードを折り込んで、物品を梱包する収容する収納部を含む箱型に組み立てた梱包箱において、
前記梱包箱の正面部は、
前記ベースボードを折り込んで箱型に組み込んだとき、２つ折りの正面を構成する正面折込片を有し、当該２つ折りの正面折込片の折込部の、左右両側面寄りに、左右両側面を構成する左右両側面折込片の外側への広がりを規制するロック機能を有する孔を形成し、
前記梱包箱の左右両側面部は、
前記ベースボードを折り込んで箱型に組み込んだとき、左右両側面を構成する前記左右両側面折込片を有し、かつ、
前記左右両側面折片と前記２つ折りの正面折込片との角部に位置し、当該２つ折りの正面折込片との間に差し込まれ、当該左右両側面折込片を外側へ広げる力を加えたとき、当該２つ折りの正面折込片の内面に沿って回動し、前記孔の一部に係合する係合部を含む角折込片を有し、
前記角折込片は、
前記ベースボードを折り込んで箱型に組み込んだとき、前記収納部側に折り込まれ、前記左右両側面折込片及び前記正面折込片を外側へ広げる力を加えたとき、所定角度傾き、広がる構造に形成してある、
ことを特徴とする梱包箱。
【請求項２】
請求項１に記載された梱包箱において、
前記正面部は、さらに、
前記第正面折込片を外側へ広げたとき、当該第１、第２の正面折込片の広がり状態を保持するロック用の舌片と、当該ロック用の舌片が係合するロック用の孔を有する
ことを特徴とする梱包箱。
【請求項３】
請求項１に記載された梱包箱において、
前記梱包箱は、
前記１つのベースボードの上下、前後、左右の各片の折り込みを解除した状態で多段に積み重ねて回収箱又は通い箱に収納される
ことを特徴とする梱包箱。
【請求項４】
１つのベースボードからなり、上下、前後、左右の各片を折り込んだとき、電子機器を梱包した梱包具を載置する四角形の載置面を形成する底面部、当該底面部を左右から囲む左右両側面を形成する左右両側面部、当該底面部を正面（前面）から囲む正面を形成する正面部（前面部）、当該底面部を背後から囲む背面及び上面を形成する背面部及び上面部（蓋部）、備えた梱包箱において、
前記左右両側面部は、前記ベースボードを折り込んだとき、左右両側面を形成する左右両側面折込片と、左右両側面から前記載置面に対向し、前記梱包具を上側から覆うカバー折込片を有し、
前記正面部は、前記ベースボードを折り込んだとき、正面を形成する２つ折りの正面折込片と、前記背面片の先端舌片に形成された横長の長孔に嵌合又は係合される舌片を有し、
前記背面部及び上面部（蓋部）は、前記ベースボードを折り込んだとき、背面を形成する背面折込片と、背面から前記載置面に対向し、前記梱包具を上側から覆うカバー折込片と、前記正面を形成する２つの正面折込片の中央部に形成された横長の長孔に嵌合又は係合される舌片を有し、
左右両側面部と正面部との角部には、前記左右両側面を形成する左右両側面折込片と連結され、同程度の幅を有し、
当該左右両側面を形成する左右両側面折込片から正面方向に延び、前記ベースボードを折り込んだとき、前記正面を形成する２つ折りの正面折込片との間に挿入され、
前記左右両側面を形成する左右両側面折込片を外側に広げたとき、当該正面を形成する２つ折りの正面折込片に沿って回動し、かつ、
前記正面を形成する２つ折りの正面折込片を正面方向に回動したとき、梱包箱の内側から外側に突き出るように広がる角折込片を有し、
前記梱包箱の内側から外側に突き出るように広がる角折込片は、当該角折込片を前記２つ折りの正面折込片の間に入るように折り込む折り線を有する
ことを特徴とする梱包箱。
【請求項５】
請求項４に記載された梱包箱において、
前記ベースボードは、前記左右両側面部、前記正面部（前面部）、前記背面部及び上面部（蓋部）を形成する複数の折り込み線を有する段ボール材からなり、
前記ロック用の舌片は、前記２つ折りの正面折込片の一方に形成され、前記ロック用の孔は、前記２つ折りの正面折込片の他方に形成されている、
ことを特徴とする梱包箱。
【請求項６】
請求項４に記載された梱包箱において、
前記梱包箱は、
前記１つのベースボードの上下、前後、左右の各片の折り込みを解除した状態で多段に積み重ねて回収箱又は通い箱に収納される
ことを特徴とする梱包箱。
【発明の詳細な説明】
【技術分野】
【０００１】
本発明は、例えば、電話機などの電子装置（物品）を梱包する梱包箱に関する。
更に詳しくは、例えば、電子機器などを取り扱う業者が家庭や企業まで搬送し、当該家庭や企業などに電子機器を設置したあと、空き箱となった梱包箱を回収や廃棄のために持ち帰るような場合に適した梱包箱に関する。
【背景技術】
【０００２】
梱包箱として、例えば、１つの段ボール材を折り込んで、電子機器を収納する収納部を含む箱型に組み立てて、１つの梱包箱を構成してなるものがある。
【０００３】
図８〜図１１は、その一例を示す図である。要するに、１つの段ボール材に複数の折り込み線１７１、１７２、１７３、１７４、１７７、１７８、１７９、１８０、や切込み１９１、１９２、１９３、１９４、及び折込片１２１、１３１、１４１、１４２、１５３’、１６５、１６６、１６１２、１６４２、１６３１、１６４１、などを設け、これらの折り込み線や切り込みに沿って折り込み、各折込片１２１、１３１、１４１、１４２、１５３’、１６５、１６６、１６１２、１６４２、１６３１、１６４１、を有する図９に示すような所定の箱型の梱包箱１’を形成したものがある。
すなわち、従来の梱包箱１’は、１つの段ボール材を複数の折り込み線や切り込みに沿って折り込んだとき、底面部１１、左右両側面部１２，１３、正面部１４、背面部及び上面部（蓋部）１５を形成し、左右両側面部１２、１３と正面部１４との角部に位置する四角形の角片１６５、１６６が正面部１４を形成する２つ折りの正面折込片１４１と１４２との間に折り込み、かつ、梱包箱１’を組み立てたとき、２つ折りの正面折込片１４１と１４２により、角片１６５、１６６が挟持される構造となっている。
また、正面を形成する正面折込片１４２の先端中央部に形成したロック用の舌片１４２７を底面部１１に形成したロック用の長孔１４２８に差し込んで係合する構造であるため、当該舌片１４２７と長孔１４２８との係合、つまり、ロックを解除しない限り、図９に示すように左右両側面を形成する左右両側面折込片１２１、１３１及び正面を形成する正面折込片１４１、１４２を外側方向に広げることができない構造となっている。
【０００４】
また、梱包箱の構造技術として、例えば、特開２０１５−８５９３９号公報（特許文献１）当該公報には、「梱包箱に収納される収納品を衝撃から保護する電子機器用包装体であって、前記電子機器用包装体は、１枚の段ボール材と２枚のフィルムとで構成され、収納品を載置する、中央に開口部を設けた略矩形の載置部枠体と、前記載置部枠体の対向する２辺から外側に向けて延設される脚部片を、下方に折り曲げることで、前記載置部枠体と一体的に形成される第１の脚部と、矩形に形成され、前記載置部枠体の前記開口部を上方から覆うように対向する２辺の端部を前記脚部片に貼着された第１のフィルムと、前記載置部枠体の前記開口部を下方から閉塞するように貼着された第２のフィルムと、からなり、脚部片を前記載置部枠体の下方に折り曲げて前記第１の脚部を形成することで、前記第１のフィルムに所定の張力を掛け、収納品を前記載置部枠体と前記第１のフィルムとで挟持固定することを特徴とする電子機器用包装体」という記載がある。
また、特開２０１３−３９９５０号公報（特許文献２）がある。当該公報には、「梱包箱は、外装部２０と、外装部２０の内部に配置される梱包具１０とを備え、梱包具１０は、物品１００が搭載される物品搭載面部１１と、物品搭載面部１１の前端および後端から、物品が搭載される側に対して下方に折り曲げられた一対の下方曲げ部１６と、を含み、一対の下方曲げ部１６には、物品１００を覆って保持するフィルムＦが接着され、下方曲げ部１６には、下方曲げ部１６の外側に配置され、下方曲げ部１６に対して折り曲げられる外側折り曲げ部１６ｇを有する。」（要約書参照）という記載がある。
【先行技術文献】
【特許文献】
【０００５】
【特許文献１】特開２０１５−８５９３９号公報
【特許文献２】特開２０１３−３９９５０号公報
【発明の概要】
【発明が解決しようとする課題】
【０００６】
図８〜図１１に示すような従来の梱包箱の構造によると、ロック用の舌片１４２７と長孔１４２８との係合を解除しない状態で、左右両側面及び正面を形成する各折込片を外側に広がるように力を加えても、広げることができない。強引に広げようとすれば、図１０に示すようにロック用の舌片１４２７とロック用の長孔１４２８との係合が外れてしまう。
係る構造で組み立てた状態の梱包箱を複数積み重ねると、嵩張ることになり、その運搬の作業が容易でなく、また、梱包箱の組み立てをすべてばらして、つまり、解体して積み重ねると、左右、前後にずれ、整然と積み重ねことができない。
【０００７】
その結果として、その積み重ねが不揃いになり、複数の空き状態の梱包箱を積み重ねて回収する作業が容易でなく、回収する作業効率が悪いという課題があった。
特許文献１及び特許文献２も同様である。
【０００８】
要するに、従来の梱包箱は、何れも、使用済の空き状態の梱包箱を作業効率良く、嵩張らずに積み重ね、纏めて回収、搬送しやすい構造までは考慮されていない。
【０００９】
そこで、本発明では、簡単な構造で、例えば、使用済の空き箱の梱包箱を整然と複数積み重ね、纏めることができ、複数の梱包箱を積み重ねた状態にて、例えば、別の大きな箱に収納して運搬や保管することを可能とした技術を提供することを目的とする。
【課題を解決するための手段】
【００１０】
上記課題を解決するために、本発明では、梱包箱の角部に、梱包箱を広げ、弛ませることが可能な構造としたものである。
代表的な本発明の梱包箱の一つは、
１つのベースボードを折り込んで、物品を梱包する収容する収納部を含む箱型に組み立てた梱包箱において、
前記梱包箱の正面部は、
前記ベースボードを折り込んで箱型に組み込んだとき、２つ折りの正面を構成する正面折込片を有し、当該２つ折りの正面折込片の折込部の、左右両側面寄りに、左右両側面を構成する左右両側面折込片の外側への広がりを規制するロック機能を有する孔を形成し、
前記梱包箱の左右両側面部は、
前記ベースボードを折り込んで箱型に組み込んだとき、左右両側面を構成する前記左右両側面折込片を有し、かつ、
前記左右両側面折片と前記２つ折りの正面折込片との角部に位置し、当該２つ折りの正面折込片との間に差し込まれ、当該左右両側面折込片を外側へ広げる力を加えたとき、当該２つ折りの正面折込片の内面に沿って回動し、前記孔の一部に係合する係合部を含む角折込片を有し、
前記角折込片は、
前記ベースボードを折り込んで箱型に組み込んだとき、前記収納部側に折り込まれ、前記左右両側面折込片及び前記正面折込片を外側へ広げる力を加えたとき、所定角度傾き、広がる構造に形成してある、
ことを特徴とする。
【００１１】
また、代表的な本発明の梱包箱の一つは、
１つのベースボードからなり、上下、前後、左右の各片を折り込んだとき、電子機器を梱包した梱包具を載置する四角形の載置面を形成する底面部、当該底面部を左右から囲む左右両側面を形成する左右両側面部、当該底面部を正面（前面）から囲む正面を形成する正面部（前面部）、当該底面部を背後から囲む背面及び上面を形成する背面部及び上面部（蓋部）、備えた梱包箱において、
前記左右両側面部は、前記ベースボードを折り込んだとき、左右両側面を形成する左右両側面折込片と、左右両側面から前記載置面に対向し、前記梱包具を上側から覆うカバー折込片を有し、
前記正面部は、前記ベースボードを折り込んだとき、正面を形成する２つ折りの正面折込片と、前記背面片の先端舌片に形成された横長の長孔に嵌合又は係合される舌片を有し、
前記背面部及び上面部（蓋部）は、前記ベースボードを折り込んだとき、背面を形成する背面折込片と、背面から前記載置面に対向し、前記梱包具を上側から覆うカバー折込片と、前記正面を形成する２つの正面折込片の中央部に形成された横長の長孔に嵌合又は係合される舌片を有し、
左右両側面部と正面部との角部には、前記左右両側面を形成する左右両側面折込片と連結され、同程度の幅を有し、
当該左右両側面を形成する左右両側面折込片から正面方向に延び、前記ベースボードを折り込んだとき、前記正面を形成する２つ折りの正面折込片との間に挿入され、
前記左右両側面を形成する左右両側面折込片を外側に広げたとき、当該正面を形成する２つ折りの正面折込片に沿って回動し、かつ、
前記正面を形成する２つ折りの正面折込片を正面方向に回動したとき、梱包箱の内側から外側に突き出るように広がる角折込片を有し、
前記梱包箱の内側から外側に突き出るように広がる角折込片は、当該角折込片を前記２つ折りの正面折込片の間に入るように折り込む折り線を有する、
ことを特徴とする。
【発明の効果】
【００１２】
本発明によれば、簡単な構造で、例えば、使用済の空き箱の梱包箱を複数積み重ね、纏めて運搬や保管するときに適した技術を提供することができる。また、梱包箱をトレイのような形態に変形できることで、複数の梱包箱の積み重ねが容易となり、梱包箱の作り置きが可能となる。これにより、物品梱包作業の効率化が図れる。
上記した以外の課題、構成及び効果は、以下の実施形態の説明により明らかにされる。
【図面の簡単な説明】
【００１３】
【図１】図１は本発明の梱包箱を展開した状態を示す平面図である。
【図２】図２は本発明の梱包箱の外観を示す斜視図である。
【図３】図３は本発明の梱包箱の上面図である。
【図４】図４は梱包箱の上蓋を開き、その左右両側面部を左右方向に広げた状態を示す図である。
【図５】図５は梱包箱の正面部（前面部）を正面方向（前方方向）に広げた状態の正面部を拡大して示す図である。
【図６Ａ】図６Ａは梱包箱の左右両側面部を左右方向に広げた状態を保持、また、広がり過ぎを防止する構造を示す図である。
【図６Ｂ】図６Ｂは梱包箱の左右両側面部を左右方向に広げた状態を保持、また、広がり過ぎを防止する構造を示す図である。
【図７Ａ】図７Ａは空き箱状態の梱包箱を展開したとき、梱包箱の角を外側に広げ、この広げた状態において、複数の梱包箱を積み重ねた状態を示す図である。
【図７Ｂ】図７Ｂは主装置仕切り板材、固定材の様子を示す斜視図である。
【図７Ｃ】図７Ｃは図７Ａに示す状態の梱包箱を、主装置を収納する箱に主装置仕切り板材を介して収納する様子を示す分解図である。
【図７Ｄ】図７Ｄは主装置を収納する箱の斜視図である。
【図８】図８は従来の梱包箱を展開した状態を示す平面図である。
【図９】図９は従来の梱包箱を組み立てたときの外観斜視図を示す図である。
【図１０】図１０は従来の梱包箱の左右両側面と正面とを広げることができない様子を示す図である。
【図１１】図１１は従来のロック用の舌片と長孔との関係を示す図である。
【発明を実施するための形態】
【００１４】
以下、実施例について図面を参照して説明する。本発明において、梱包箱に収納する収納品は、電子機器、以外の品物、例えば、医薬品、農作物などの物品であってもよい。
【実施例】
【００１５】
図１〜図６Ａ，Ｂは、本発明の梱包箱１の構造を示す図であって、図１は梱包箱１を展開した状態を示す平面図、図２は梱包箱１の外観を示す斜視図、図３は梱包箱１の上面図、図４は梱包箱１の上蓋を開き、その左右両側面部を左右方向に広げた状態を示す図、図５は梱包箱１の正面部（前面部）を正面方向（前方方向）に広げた状態の正面部を拡大して示す図、図６Ａ、Ｂは梱包箱１の左右両側面部を左右方向に広げた状態を保持、また、広がり過ぎを防止する構造を示す図である。
【００１６】
同図において、梱包箱１は、例えば、１つの段ボール材やプラスチック材など（ベースボード）からなる。以下、段ボール材を例に説明する。
１つの段ボール材は、例えば、電子機器を梱包した梱包具３（図７参照）を載置する四角形の載置面を形成する底面部１１の左右にそれぞれ２つの折り込み線（谷折り線）１７１、１７２、１７５、１７６、正面を形成する正面部１４に２つの折り込み線（谷折り線）１７３、１７７、切込み１９３、１９４、背面及び上面を構成する背面部及び上面部（蓋部）１５に２つの折り込み線（谷折り線）１７４、１７８、切込み１９１、１９２、を形成している。
【００１７】
したがって、これらの折り込み線に沿って、梱包箱１を形成する段ボール材を左右、前後の各片を折り込むと、左右両側面部１２、１３、正面部（前面部）１４、背面部及び上面部（蓋部）１５、からなる部品収納部を含む箱型が形成される。
【００１８】
梱包箱１の底面部１１は、例えば、電話機などの電子機器を梱包した梱包具を載置する四角形の載置面を含む。
【００１９】
梱包箱１の左右両側面部１２、１３は、前記ベースボードを折り込み線１７１、１７５に沿って折り込んだとき、左右両側面を形成する左右両側面折込片１２１、１３１と、左右両側面から前記載置面に対向し、前記梱包具を上側から覆うカバー折込片１２２、１３２を有する。カバー折込片１２２、１３２は、必ずしも必要としないが、これにより、空き梱包箱１を積み重ねる場合、左右の広がりを抑える機能を有し、つまり、複数の梱包箱１を積み重ねて纏めやすくなる（図７Ａ参照）。
【００２０】
梱包箱１の正面部１４は、前記ベースボードを折り込み線１７３、１７７に沿って折り込んだとき、正面を形成する２つ折りの正面折込片１４１、１４２と、前記背面片の先端舌片１５３に形成された横長の長孔１５３１に嵌合又は係合される舌片１４２１を有する。舌片１４２１は、正面の折り片１４１の一部をＵ字状に切り、その切り取り部を折り曲げて形成したものである。
【００２１】
梱包箱１の背面部及び上面部（蓋部）１５は、前記ベースボードを折り込み線１７４、１７８に沿って折り込んだとき、背面を形成する背面折込片１５１と、背面から前記載置面に対向し、前記梱包具を上側から覆う上面（蓋）を形成するカバー折込片１５２と、前記正面を形成する２つの折込片の中央部に形成された横長の長孔に嵌合又は係合される舌片１５３を有する。
【００２２】
前記左右両側面部１２、１３と前記背面部及び上面部（蓋部）１５の角部には、前記左右両側面を形成する左右両側面折込片１２１、１３１と同程度の幅を有し、背面方向に延び、前記ベースボードを折り込んだとき、前記背面を形成する背面折込片１５１に重なるように折り込まれる角折込片１６３、１６４を有する。
【００２３】
左右両側面部１２，１３と正面部１４との角部には、前記左右両側面を形成する左右両側面折込片１２１、１３１と連結され、同程度の幅を有し、当該左右両側面を形成する左右両側面折込片１２１、１３１から正面方向に延び、前記ベースボードを折り込んで梱包箱１を組み立てたとき、梱包箱１の内側に収まるように装着される角折込片１６１、１６２を有する。
【００２４】
すなわち、前記左右両側面を形成する左右両側面折込片１２１、１３１及びカバー折込片１２２、１３２を、折り込み線１７１、１７２を支点として左右方向に回動して広げたとき（図４参照）、また、前記正面を形成する２つ折りの折込片１４１、１４２を、折り込み線１７２を支点として正面方向に回動して広げたとき（図５参照）、梱包箱１の内側から外側に突き出るように広がる扇状の角折込片１６１、１６２を有する。角部の角折込片１６１、１６２が広がることにより、梱包箱１としては、全体として、多少弛むことになる。
【００２５】
前記梱包箱１の内側から外側に突き出るように広がる角折込片１６１、１６２は、梱包箱１の組み立てのとき、当該角片を２つ折りされて折り畳まれた片（折り線１６１１、１６２１部分）が梱包箱１の内側に入り込み、また、梱包箱１の左右両側面、正面部分を外側に動かしたとき、元に戻って外側に広がるようにする折り線１６１１（山折り線）、１６１２（谷折り線）、１６２１（山折り線）、１６２２（谷折り線）を有する。
【００２６】
係る構成にすることにより、正面の２つ折りの正面折込片１４１、１４２は、角折込片１６１、１６２の分だけ多少外側に広がり、左右両側面の左右両側面折込片１２１、１３１は、角折込片１６１、１６２と正面の２つ折りの正面折込片１４１、１４２により、外側への広がりは規制され、半開きの状態となる（図４参照）。
【００２７】
換言すれば、左右両側面部１２、１３は、左右方向に延びた左右両折込片１２１、１２２、１３１、１３２とともに、左右両折込片１２１、１３１と同程度の幅を有し、背面部及び上面部（蓋部）１５側に延び、折り込み線１７４に沿って折り曲げ可能な長方形の角折込片１６３、１６４及び正面方向に延び、折り込み線１７３、１６１１、１６２１に沿って折り曲げ可能な扇状に近い形の角折込片１６１、１６２を有する。
【００２８】
要するに、梱包箱１の正面部１４は、ベースボードを折り込んで箱型に組み込んだとき、２つ折りの正面を構成する正面折込片１４１、１４２を有し、当該２つ折りの正面折込片の折込部の、左右両側面寄りに、左右両側面を構成する左右両側面折片の外側への広がりを規制するロック機能を有する孔１４２７、１４２８を形成する。
【００２９】
梱包箱１の左右両側面部１２、１３は、前記ベースボードを折り込んで箱型に組み込んだとき、左右両側面を形成する左右両側面折込片１２１、１３１を有し、かつ、左右両側面折込片１２１、１３１と２つ折りの正面折込片との角部に位置し、当該２つ折りの正面折込片１４１、１４２との間に差し込まれ、当該左右両側面折込片を外側へ広げたとき、当該２つ折りの正面折込片の内面に沿って回動し、前記ロック機能を有する角折込片１６１、１６２の一部に係合する係止部１６１３、１６２３を含む角折込片１６１、１６２を有する。
【００３０】
角折込片１６１、１６２は、梱包箱１を左右方向に、また、正面方向に広がるよう工夫した構造としたものであり、正面側の角折込片１６１、１６２には、梱包箱１の角部が外方向に突き出るように折り込み線１６１１、１６２１を形成してある。
この折り込み線１６１１、１６２１により、角折込片１６１、１６２を三角形の片と先端中央が窪んだ扇形の凸片を形付けている。
【００３１】
つまり、前記ベースボードを折り込んで箱型に組み込んだとき、収納部側に折り込まれ、左右両側面折込片１２１、１３１及び正面折込片１４１、１４２を外側方向へ力を加えたとき、弛んで所定角度傾き、広がる、扇状の構造に形成してある。
【００３２】
また、前記正面部１４は、正面を形成する２つ折りの正面折込片１４１、１４２を正面側に力を加えて広げたとき、当該正面折込片１４１、１４２の広がり範囲を規制するロック機能を有するロック部材、例えば、ロック用の舌片１４２３、１４２４と、当該舌片が篏合するロック用の孔１４２５、１４２６を有する（図６参照）。ロック用の舌片１４２３、１４２４は、正面の折り返し片１４１の一部を切起こして形成したものである。
【００３３】
このロック機能を有するロック部材は、梱包箱１の広がり過ぎるのを防止するロック部材又はストッパ部材であり、及び／または、梱包箱１を広げた状態を保持するロック部材である。
【００３４】
上述した本実施例によれば、梱包箱１を組み立てたとき、四角形の箱型を構成する梱包箱１の角部に折り曲げ可能な角折込片１６１、１６２を設けた構造としているため、梱包箱１の左右両側面を形成する左右両側面折込片１２１、１３１を左右方向に広げることが可能となり、また、梱包箱１の正面を形成する正面折込片１４１、１４２を正面方向に広げることが可能となる。
【００３５】
このように、左右両側面を構成する左右両側面折片及び２つ折りの正面片を構成する正面折片を所定範囲外側に広げることにより、梱包箱１を全面解体することなく、安定して複数の梱包箱１を積み重ね、コンパクトに纏めることができる。
その結果、梱包箱１をお客様に配達し、当該梱包箱に収納した電子機器を設置したあと、空き箱となった空き梱包箱１を回収し、持ち帰る、事業者にとっては、例えば、一つの通い箱に纏めて収納、回収し、搬送することができ、その回収作業が容易に行える。
また、梱包箱をトレイのような形態に変形できることで、複数の梱包箱１の積み重ねが容易となり、梱包箱の作り置きが可能となる。これにより、物品梱包作業の効率化が図れる。
【００３６】
図７は、その様子を説明するための図であって、図７Ａは空き箱状態の梱包箱１を展開したとき、梱包箱１の角を外側に広げ、この広げた状態において、複数の梱包箱１を積み重ねた状態を示す図、図７Ｂは主装置仕切り板材４１、固定材４２の様子を示す斜視図、図７Ｃは図７Ａに示す状態の梱包箱１を、主装置（図示せず）を収納する箱（保管箱又は通い箱など）２に主装置仕切り板材４１を介して収納する様子を示す分解図、図７Ｄは主装置を収納する箱（保管箱又は通い箱など）２の斜視図である。
【００３７】
同図において、まず、梱包箱１の角部を外側に広げ、この広げた状態で梱包箱１を積み重ねる（図７Ａ）。次に、主装置との仕切り板材から着脱自在の固定材を引き抜く（図７Ｂ）。次いで、主装置を収納する箱（空箱）２に板材４１、固定材４２、梱包箱１、梱包具３、などを重ねるようにして順次収納する（図７Ｃ）。収納したあとは、箱２の蓋を閉じる（図７Ｄ）。
【００３８】
これにより、使用済の梱包箱１を含め、コンパクトに整理することができ、複数の梱包箱１を整然と積み重ねて纏めて搬送、廃棄処分などができる。
【００３９】
なお、本発明は、上記した実施例に限定されるものではなく、様々な変形例が含まれる。例えば、上記した実施例は本発明を分かり易くする説明するために詳細に説明したものであり、必ずしも説明した全ての構成を備えるものに限定されるものではない。また、実施例の構成の一部について、他の構成の追加・削除・置換をすることも可能である。
【符号の説明】
【００４０】
１、１’・・・梱包箱
１１・・・底面部
１２、１３・・・左右両側面部
１２１、１３１・・・左右両側面を形成する左右両側面折込片
１２２、１３２・・・カバー折込片
１４・・・正面部
１４１、１４２・・・２つ折りの正面折込片
１４２３、１４２４・・・ロック用の舌片
１４２５、１４２６・・・ロック用の孔
１４２７、１４２８・・・長孔
１５・・・背面部及び上面部（蓋部）
１５１・・・背面を形成する背面折込片
１５２・・・カバー折込片
１５３、１５３’・・・背面片の先端舌片
１６１、１６２、１６３、１６４・・・角折込片
１６１３、１６２３・・・係止部
１７１、１７２、１７５、１７６、１７４、１７８、１７３、１７７、１６１１、１６１２、１６２１、１６２２・・・折り込み線
１９１、１９２、１９３、１９４・・・切込み
２・・・箱
３・・・梱包具
４１・・・主装置仕切り板材
４２・・・固定材
【図１】
2018172143.tif 000003
【図２】
2018172143.tif 000004
【図３】
2018172143.tif 000005
【図４】
2018172143.tif 000006
【図５】
2018172143.tif 000007
【図６Ａ】
2018172143.tif 000008
【図６Ｂ】
2018172143.tif 000009
【図７Ａ】
2018172143.tif 000010
【図７Ｂ】
2018172143.tif 000011
【図７Ｃ】
2018172143.tif 000012
【図７Ｄ】
2018172143.tif 000013
【図８】
2018172143.tif 000014
【図９】
2018172143.tif 000015
【図１０】
2018172143.tif 000016
【図１１】
2018172143.tif 000017
【手続補正書】
【提出日】平成30年7月31日(2018.7.31)
【手続補正１】
【補正対象書類名】特許請求の範囲
【補正対象項目名】全文
【補正方法】変更
【補正の内容】
【特許請求の範囲】
【請求項１】
１つのベースボードを折り込んで、物品を収容する収納部を含む梱包箱において、
前記梱包箱の正面部は、
前記ベースボードを折り込んで箱型に組み込んだとき、２つ折りの正面を構成する正面折込片を有し、２つ折りの正面折込片の折込部の、左右両側面寄りに、左右両側面を構成する左右両側面折込片の外側への広がりを規制するロック機能を有する孔を形成し、
さらに、前記２つ折りの正面折込片の一方の折り込み片に、当該２つ折りの正面折込片の開きを規制するロック用舌片を形成し、前記正面折込片の他方の折り込み片に前記ロック用舌片が挿入され、当該２つ折りの正面折込片の開きを規制するロック用孔を形成し、
前記正面折込片を外側へ広げたとき、前記ロック用舌片と前記ロック用孔が係合し、
前記梱包箱の正面への広がり過ぎを防止し、前記梱包箱を広げた状態で保持し、
前記梱包箱の左右両側面部は、
前記ベースボードを折り込んで箱型に組み込んだとき、左右両側面を構成する前記左右両側面折込片を有し、かつ、
前記左右両側面折込片と２つ折りの前記正面折込片との角部に位置し、２つ折りの前記正面折込片との間に差し込まれ、当該左右両側面折込片を外側へ広げる力を加えたとき、２つ折りの前記正面折込片の内面に沿って回動し、前記孔の一部に係合する係合部を含む角折込片を有し、
前記角折込片は、
前記ベースボードを折り込んで箱型に組み込んだとき、前記収納部側に折り込まれ、前記左右両側面折込片及び前記正面折込片を外側へ広げる力を加えたとき、所定角度傾き、広がる扇状の構造に形成してある、
ことを特徴とする梱包箱。
【請求項２】
請求項１に記載された梱包箱において、
前記梱包箱は、
空き状態の梱包箱の蓋部を開いたとき、角部を外側に広げた状態で多段に積み重ねて回収箱又は通い箱に収納される
ことを特徴とする梱包箱。
【請求項３】
１つのベースボードからなり、上下、前後、左右の各片を折り込んだとき、電子機器を梱包した梱包具を載置する四角形の載置面を形成する底面部、当該底面部を左右から囲む左右両側面を形成する左右両側面部、当該底面部を正面から囲む正面を形成する正面部、当該底面部を背後から囲む背面及び上面を形成する背面部及び上面部、備えた梱包箱において、
前記左右両側面部は、前記ベースボードを折り込んだとき、左右両側面を形成する左右両側面折込片と、左右両側面から前記載置面に対向し、前記梱包具を上側から覆うカバー折込片を有し、
前記正面部は、前記ベースボードを折り込んだとき、正面を形成する２つ折りの正面折込片と、前記背面部の背面片の先端舌片に形成された横長の孔に嵌合又は係合される舌片を有し、
前記背面部は、前記ベースボードを折り込んだとき、背面を形成する背面折込片を有し、
前記上面部は、前記ベースボードを折り込んだとき、背面から前記載置面に対向し、前記梱包具を上側から覆うカバー折込片と、前記正面を形成する２つ折りの前記正面折込片の中央部に形成された横長の孔に嵌合又は係合される舌片を有し、
前記左右両側面部と前記正面部との角部には、前記左右両側面を形成する左右両側面折込片と連結され、同程度の幅を有し、
当該左右両側面を形成する左右両側面折込片から正面方向に延び、前記ベースボードを折り込んだとき、前記正面を形成する２つ折りの正面折込片との間に挿入され、
前記左右両側面を形成する左右両側面折込片を外側に広げたとき、当該正面を形成する２つ折りの正面折込片に沿って回動し、かつ、
前記正面を形成する２つ折りの正面折込片を正面方向に回動したとき、梱包箱の内側から外側に突き出るように広がる扇状の角折込片を有し、
前記梱包箱の内側から外側に突き出るように広がる角折込片は、当該角折込片を前記２つ折りの正面折込片の間に入るように折り込む折り線を有し、
前記２つ折りの正面折込片の一方の折り込み片に、当該２つ折りの正面折込片の開きを規制するロック用舌片を形成し、前記正面折込片の他方の折り込み片に前記ロック用舌片が挿入され、当該２つ折りの正面折込片の開きを規制するロック用孔を形成し、
前記正面折込片を外側へ広げたとき、前記ロック用舌片と前記ロック用孔が係合し、
前記梱包箱の正面への広がり過ぎを防止し、前記梱包箱を広げた状態で保持する
ことを特徴とする梱包箱。
【請求項４】
請求項３に記載された梱包箱において、
前記梱包箱は、
空き状態の梱包箱の蓋部を開いたとき、角部を外側に広げた状態で多段に積み重ねて回収箱又は通い箱に収納される
ことを特徴とする梱包箱。